(57)【要約】【課題】雪上を滑走していないときにはコンパクトになって収納や運搬が容易である雪上滑走具を提供する。【解決手段】雪上滑走具（１０）は、フォークプレート（５）に切り欠き（５ａ）・貫通孔（５ｂ）を設け、足支持板（７）に切り欠き（７ａ）を設けることで、固定用治具（６）においてナット（６３）が螺合させた状態のナット（６３）・支柱部（６１）間のボルト（６２）を挿通・該挿通の解除が可能である。【選択図】図１
2015146984.tif 000002
【特許請求の範囲】
【請求項１】
雪上を滑走するための前ボードおよび後ボードと、
上記前ボードおよび上記後ボードの上面に固定用治具を介して固定されるフレームとを備えており、
上記固定用治具は、上記上面に固定される支柱部と、該支柱部から上方に向かってのびるボルトと、該ボルトに螺合するナットとを有しており、
上記フレームには、上記ボルトを挿通させる挿通部が設けられており、
上記挿通部は、上記ナットが螺合した状態の上記ボルトにおける該ナットと上記支柱部との間の部分を、挿通させたり該挿通を解除させたりでき、
上記挿通部に上記ボルトが挿通された状態で上記ナットが上記支柱部に向かって締められることによって、上記フレームが上記固定用治具を介して上記前ボードおよび上記後ボードに固定される一方、上記ナットが上記ボルトの上端に向かって緩められることによって、上記前ボードおよび上記後ボード並びに上記固定用治具から上記フレームが外れることを特徴とする雪上滑走具。
【請求項２】
上記挿通部は複数設けられており、
上記フレームにおける、少なくとも一つの上記挿通部の周辺には、締められた上記ナットの位置ずれを抑制する位置ずれ抑制部が設けられていることを特徴とする請求項１に記載の雪上滑走具。
【請求項３】
上記フレームには、上記ナットを締めたり緩めたりする作業をおこなうための開口部が設けられていることを特徴とする請求項１または２に記載の雪上滑走具。
【請求項４】
上記支柱部は、弾性体から構成されていることを特徴とする請求項１から３のいずれか１項に記載の雪上滑走具。
【請求項５】
上記挿通部は、上記フレームに設けられた貫通孔あるいは切り欠きであることを特徴とする請求項１から４までの何れか１項に記載の雪上滑走具。
【発明の詳細な説明】
【技術分野】
【０００１】
本発明は、雪上滑走具に関する。
【背景技術】
【０００２】
雪上でのスポーツまたはレジャー用具として、スノースクーターや雪上自転車と呼ばれる滑走具が知られている。この雪上滑走具は、概略的には、前後に配置された２枚のボード、および、該ボードとハンドル部とを連結するフレームにより構成されている。プレーヤは、前方を向いてフレームに跨りボード上に立った状態で乗り、ハンドル部で進行方向を制御しながらゲレンデ等の雪斜面を滑走することができる（非特許文献１）。
【先行技術文献】
【非特許文献】
【０００３】
【非特許文献１】OWNER'S MANUAL ASSEMBLY INSTRUCTIONS（URL: http://www.snowscoot.com/upload/pdf/montage-snowscoot-en.pdf）
【発明の概要】
【発明が解決しようとする課題】
【０００４】
しかしながら、従前の雪上滑走具は、ゲレンデに持っていくだけで直ぐに滑走可能であるようにボードとハンドル部とがフレームに連結している状態となっている。そのため、従前の雪上滑走具は、かさ張って持ち運びが容易でなく、例えばゲレンデに向かう車の車内に積み込めば広いスペースが専有されることになり、また自宅などで保管する際にも場所をとるという問題がある。
【０００５】
なお、非特許文献１にあるように、雪上滑走具の出荷時にはボードとハンドル部とフレームとが分解して梱包されていて、販売店の店頭で組み立てたり、オーナーに直販されてオーナーが組み立てたりする態様が知られている。しかしながら、これらは一旦組み立れば、それ以降はボードとハンドル部とがフレームに連結している状態となっており、容易に分解することはできないため、上述の問題はある。
【０００６】
そこで、本発明は、上記の問題点に鑑みてなされたものであり、その目的は、雪上を滑走していないときにはコンパクトになって収納や運搬が容易である雪上滑走具を提供することにある。
【課題を解決するための手段】
【０００７】
上記の課題を解決するために、本発明の一態様に係る雪上滑走具は、雪上を滑走するための前ボードおよび後ボードと、上記前ボードおよび上記後ボードの上面に固定用治具を介して固定されるフレームとを備えており、上記固定用治具は、上記上面に固定される支柱部と、該支柱部から上方に向かってのびるボルトと、該ボルトに螺合するナットとを有しており、上記フレームには、上記ボルトを挿通させる挿通部が設けられており、上記挿通部は、上記ナットが螺合した状態の上記ボルトにおける該ナットと上記支柱部との間の部分を、挿通させたり該挿通を解除させたりでき、上記挿通部に上記ボルトが挿通された状態で上記ナットが上記支柱部に向かって締められることによって、上記フレームが上記固定用治具を介して上記前ボードおよび上記後ボードに固定される一方、上記ナットが上記ボルトの上端に向かって緩められることによって、上記前ボードおよび上記後ボード並びに上記固定用治具から上記フレームが外れることを特徴としている。
【発明の効果】
【０００８】
本発明の一態様によれば、雪上を滑走していないときにはコンパクトになって収納や運搬が容易である雪上滑走具を提供するという効果を奏する。
【図面の簡単な説明】
【０００９】
【図１】本実施形態に係る雪上滑走具の分解図である。
【図２】本実施形態に係る雪上滑走具全体の概略構成を示す図である。
【図３】本実施形態に係る雪上滑走具における前ボード前方側とフォークプレートとの取り付けの様子を表す図である。
【図４】本実施形態に係る雪上滑走具における前ボード後方側とフォークプレートとの取り付けの様子を表す図である。
【図５】本実施形態に係る雪上滑走具における後ボードと足支持板との取り付け工程を表す図である。
【図６】本実施形態に係る雪上滑走具における足支持板の開口部近傍の断面図である。
【図７】本実施形態に係る雪上滑走具における固定用部材の構成を表す断面図である。
【図８】本実施形態に係る雪上滑走具における固定用部材の変形例の断面図である。
【発明を実施するための形態】
【００１０】
本発明の実施の形態について、図１から図８を用いて説明すると以下のとおりである。なお、本実施形態では、雪上滑走具における滑走方向側を前方とし、雪上滑走具における滑走方向側と逆側を後方とする。滑走方向に平行する方向をＸ方向、雪面に対して直交し雪面から離間する方向をＺ方向、Ｘ‐Ｚ平面に直交する方向をＹ方向（横方向）と仮定する。また、ある基準に対してＺ方向側を上方側、Ｚ方向と逆方向側を下方側とする。
【００１１】
（雪上滑走具の全体構成）
まず、図１及び図２を用いて、本実施形態に係る雪上滑走具１０全体の概略構成について説明する。図１は本実施形態に係る雪上滑走具１０の分解図であり（ａ）は当該雪上滑走具の前ボード側の分解図であり（ｂ）当該雪上滑走具の後ボード側の分解図である。図２は本実施形態に係る雪上滑走具１０全体の概略構成を示す図である。
【００１２】
雪上滑走具１０は、雪上滑走面を形成する前ボード１および後ボード２と、プレーヤの操縦により前ボード１を回転させるためのステアリング部３と、上記前ボード１および後ボード２と上記ステアリング部３とを連結するメインフレーム（フレーム）４とを備えている。
【００１３】
前ボード１および後ボード２は、それぞれの前後端部が上方（Ｚ方向）に湾曲し、それぞれにおける前後端部間の中央部のみが雪面と接する構造となっている。また、前ボード１および後ボード２の下面側縁部は、程度に差はあれ氷雪上になっている滑走面に対する摩擦や、特に旋回滑走の場合における静止摩擦から保護するため、および旋回中にいわゆるエッジをよく効かせる状態とするため、鋭い金属レール、いわゆるエッジ材料で補強することが好ましい。なお、前ボード１および後ボード２は、木材、金属、ファイバーグラスやカーボンファイバーなどを合成樹脂で積層した、従来のスノーボード構成材料で構成されている。
【００１４】
ステアリング部３は、ハンドル部３１と、前ボード１に向かって下方に延びるハンドル軸（図示せず）とにより構成されており、自転車のハンドルと同等の機能を有する。そのため、プレーヤは、ハンドル部３１を操縦することにより、前ボード１の方向を変えることができる構成となっている。
【００１５】
メインフレーム４は、前ボード１から立ち上がる前方支柱４１と、前方支柱４１およびステアリング部３の間に介在して両者を連結する前方フレーム４２と、前方フレーム４２の下端から後ボード２に向かって二股状に延びると共に、該後ボード２の側縁に沿って後方に延びて該後ボード２上に配されるフレーム延長部４３と、上記前方フレーム４２の上端から後ボード２に向かって延びる後方フレーム４４とを備えている。上記前方フレーム４２、フレーム延長部４３および後方フレーム４４は、溶接またはネジ等により一体型に形成されている。なお、プレーヤによるステアリング部３の操作により前ボード１を回転自在とするために、ステアリング部３のハンドル軸が、パイプ状の前方フレーム４２内部を貫通して、前方支柱４１に連結されている。
【００１６】
前方支柱４１は、プレーヤの身長等を考慮して所定の長さを有し、それが斜め後ろ上方に延びており、その下端において、前ボード１に固定されるフォークプレート（フレーム）５に溶接またはネジ等で固定されている。
【００１７】
前方支柱４１の形状は、フォーク状であって、ステアリング部３のハンドル軸に連結される連結部からフォークプレート５に向かって二股状に延びている。なお、前方支柱４１は、軽量化のため内部が中空のパイプ状であることが好ましい。また、前方支柱４１の上部は、前方フレーム４２の内部を貫通し、前方フレーム４２の上下端において、ボールベアリング等を介して、ステアリング部３のハンドル軸に連結されている。これにより、前ボード１は、プレーヤの操作によるハンドル部３１の回転動作に伴って回動自在となっている。
【００１８】
前方フレーム４２は、上述のように、中空のパイプ状であり、その内部においてステアリング部３のハンドル軸と前方支柱４１とが回転自在に連結されている。そして、ステアリング部３と前ボード１との回転を自在とするために、ステアリング部３および前方支柱４１と、前方フレーム４２との間には、前方フレーム４２における上端および下端において、それぞれボールベアリング等が介在している。
【００１９】
後方フレーム４４は、プレーヤの両脚で挟まれ、旋回時に、旋回の内側のエッジに体重を掛けやすくし、旋回を容易にする機能を有している。
【００２０】
フレーム延長部４３は、上記後ボード２の側縁に沿って後方に二股状に延び、後ボード２との間の距離を保持する固定用部材（固定用治具）６を介して、後ボード２上面の平面領域に配されている。フレーム延長部４３の、後方へ二股状に延びる両フレーム間には足支持板７（フレーム）が配されている。フレーム延長部４３の、後方へ二股状に延びる両フレームはそれぞれ、足支持板７のうち長手方向に延伸する側部とネジ又は溶接等により固定されている。足支持板７は、プレーヤが足を乗せる板状の部材である。この足支持板７は、本体が剛性の矩形金属板で構成されており、その両側部のほぼ全長で上記フレーム延長部４３の側部に溶接またはネジ等により固定されていることが好ましい。
【００２１】
上記足支持板７は、その足乗せ表面である上面にゴム等が敷設され滑り防止が施されていることが望ましい。また、上記足支持板７あるいはフレーム延長部４３の前方部分には、両足を横方向に揃えて緩やかに保持する、サンダルのベルト状の足保持ストラップ８が取り付けられている。
【００２２】
図１の（ａ）に示すように、フォークプレート５は、その両側前方部および両側後方部の少なくとも４ヶ所で固定用部材６によって、前ボード１と固定されている。雪上滑走具１０は、前ボード１と、フォークプレート５との着脱が簡単にできる構造となっている。
【００２３】
前ボード１の平面領域に固定されている４つの固定用部材６は、それぞれ、前ボード１の上面に固定される支柱部６１と、支柱部６１から上方に向かってのびるボルト６２と、該ボルト６２に螺合するナット６３とを有している。
【００２４】
フォークプレート５には、前ボード１に固定されている前方２つの固定用部材６と対応する両側前方部の２ヶ所に切り欠き（挿通部）５ａが設けられており、前ボード１に固定されている後方２つの固定用部材６と対応する両側後方部の２ヶ所に貫通孔（挿通部）５ｂが設けられている。このように、フォークプレート５には、固定用部材６を挿通させるため４カ所の挿通部が設けられている。切り欠き５ａはフォークプレート５の前方先端部分が開放した開口部である。貫通孔５ｂは、切り欠き５ａとは異なり、後方部分が開放せず閉じられた開口部である。
【００２５】
切り欠き５ａにそれぞれ前ボード１に固定された前方２つの固定用部材６におけるナット６３と支柱部６１との間のボルト６２が挿入され、貫通孔５ｂに前ボード１に固定された後方２つの固定用部材６におけるナット６３と支柱部６１との間のボルト６２が挿入される。そして、切り欠き５ａ近傍のフォークプレート５及び貫通孔５ｂ近傍のフォークプレート５がそれぞれ、ナット６３と支柱部６１とに挟持されることで、フォークプレート５と前ボード１とは固定される。なお、フォークプレート５と、ナット６３又は支柱部６１との間に、フォークプレート５と前ボード１との距離調整用に一又は複数のワッシャーを介在させてもよい。
【００２６】
このフォークプレート５と、前ボード１とのその取り付け方法等の詳細は後述する。なお、フォークプレート５と前ボード１とを固定する固定用部材６の個数は４個に限定されず、５個以上であってもよいし、４個未満であってもよい。
【００２７】
図１の（ｂ）に示すように、この足支持板７は、その両側前方部および両側後方部の少なくとも４ヶ所で固定用部材６によって、後ボード２と固定されている。雪上滑走具１０は、後ボード２と、足支持板７との着脱が簡単にできる構造となっている。
【００２８】
後ボード２に固定されている４つの固定用部材６は、それぞれ、後ボード２の上面に固定される支柱部６１と、支柱部６１から上方に向かってのびるボルト６２と、該ボルト６２に螺合するナット６３とを有している。
【００２９】
足支持板７には、後ボード２に固定されている４つの固定用部材６と対応する４カ所に開口部７ａが設けられている。足支持板７は、開口部７ａの下方に突出する凹部（図６参照）を有する。この凹部がナット６３と支柱部６１とに挟持されることで、足支持板７と後ボード２とは固定される。なお、足支持板７とナット６３又は支柱部６１との間に、足支持板７と後ボード２との距離調整用の一又は複数のワッシャーを介在させてもよい。開口部７ａはナット６３を締めたり緩めたりする作業をおこなうための開口部である。この足支持板７における開口部７ａ近傍の構造や後ボード２と足支持板７との固定方法の詳細は後述する。
【００３０】
なお、足支持板７と後ボード２とを固定する固定用部材６の個数は４個に限定されず、５個以上であってもよいし、４個未満であってもよい。
【００３１】
（前ボード１とフォークプレート５との着脱）
図３及び図４を用いて、前ボード１とフォークプレート５とを着脱する工程について説明する。図３は雪上滑走具１０における前ボード１の前方部とフォークプレート５との取り付けの様子を表す図である。図４は雪上滑走具１０における前ボード１の後方部とフォークプレート５との取り付けの様子を表す図である。
【００３２】
図３の（ａ）に示すように、フォークプレート５における両側前方部の２ヶ所に設けられた切り欠き５ａはフォークプレート５の前方部の前方側先端が開放した形状である。
【００３３】
そして、図３の（ｂ）に示すように、フォークプレート５を、前ボード１に対し前方へ相対移動させる（スライドさせる）。これにより、前ボード１に固定された固定用部材６のうち、ナット６３が螺合したボルト６２のうちナット６３と支柱部６１との間の部分を、切り欠き５ａにおける前方の開放している部分から、切り欠き５ａ内へ挿通する。このように、前ボード１における前方部には、前ボード１の先端が開放する切り欠き５ａが設けられているため、固定用部材６においてナット６３がボルト６２に螺合した状態であっても、当該ボルト６２を切り欠き５ａに挿通させることができる。
【００３４】
また、切り欠き７ｂは、基部から、開放された前方側の先端にかけて、横方向（Ｙ方向）の幅が広くなる形状である。換言すると、切り欠き７ｂを構成するフォークプレート５の縁部は、切り欠き７ｂ内の基部から、前方側の先端にかけて、離間する距離が広がっている。これにより、ナット６３と支柱部６１との間のボルト６２を、切り欠き７ｂの先端側から切り欠き７ｂ内へ挿通させ易い。
【００３５】
次に、図３の（ｃ）に示すように、切り欠き５ａにボルト６２が挿通された状態で、当該ボルト６２に螺合したナット６３を支柱部６１に向かって締める。この結果、切り欠き５ａの周縁のフォークプレート５が、ナット６３と支柱部６１とに挟持され、フォークプレート５の前方部が固定用部材６を介して前ボード１に固定される。
【００３６】
前ボード１の前方部と、フォークプレート５とを取り外すときは、図３の（ａ）〜（ｃ）を用いて説明した工程の順を逆にすればよい。
【００３７】
すなわち、図３の（ｃ）においてナット６３をボルト６２の上端に向かってボルト６２から外れない程度に緩める。これにより、図３の（ｂ）に示すように、ナット６３をフォークプレート５から離間させる。そして、フォークプレート５を、前ボード１に対し後方へ相対移動させる（スライドさせる）。この結果、図３の（ａ）に示すように、ナット６３が螺合した状態のボルト６２におけるナット６３と支柱部６１との間の部分を、切り欠き５ａから離間させる。これにより、ナット６３が螺合した状態のボルト６２におけるナット６３と支柱部６１との間の部分の、切り欠き５ａからの挿通を解除する。
【００３８】
このように、簡単に、フォークプレート５の前方部を前ボード１から取り外すことができる。
【００３９】
図４の（ａ）に示すように、前ボード１における後方部に設けられた貫通孔５ｂの一部である前方貫通部はナット６３の外径より大きく、貫通孔５ｂの後方貫通部はナット６３の外径より小さくボルト６２の外径より大きい。この貫通孔５ｂの前方貫通部に、ナット６３がボルト６２に螺合した状態である、前ボード１に固定された固定用部材６のナット６３を挿通させる。貫通孔５ｂの一部である前方貫通部はナット６３の外形より大きいため、固定用部材６においてナット６３がボルト６２に螺合した状態であっても、当該ナット６３を貫通孔５ｂに挿通させることができる。
【００４０】
次に、図４の（ｂ）に示すように、フォークプレート５を、前ボード１に対し前方へ相対移動させる（スライドさせる）ことで、ナット６３が螺合した状態のボルト６２におけるナット６３と支柱部６１との間の部分を、貫通孔５ｂの後方貫通部へ挿通させる。
【００４１】
そして、図４の（ｃ）に示すように、貫通孔５ｂの後方貫通部にボルト６２が挿通された状態で、当該ボルト６２に螺合したナット６３を支柱部６１に向かって締める。この結果、貫通孔５ｂの周縁のフォークプレート５が、ナット６３と支柱部６１とに挟持され、フォークプレート５の後方部が固定用部材６を介して前ボード１に固定される。
【００４２】
前ボード１の後方部と、フォークプレート５とを取り外すときは、図４の（ａ）〜（ｃ）を用いて説明した工程の順を逆にすればよい。
【００４３】
すなわち、図４の（ｃ）においてナット６３をボルト６２の上端に向かってボルト６２から外れない程度に緩める。これにより、図４の（ｂ）に示すように、ナット６３をフォークプレート５から離間させる。そして、フォークプレート５を、前ボード１に対し後方へ相対移動させる（スライドさせる）。この結果、図４の（ａ）に示すように、ナット６３が螺合した状態のボルト６２におけるナット６３と支柱部６１との間の部分を、貫通孔５ｂの前方貫通部へ挿通させる。そして、フォークプレート５を前ボード１から離間させることで、ナット６３が螺合した状態のボルト６２におけるナット６３と支柱部６１との間の部分の貫通孔５ｂの前方貫通部からの挿通を解除する。
【００４４】
このように、簡単に、フォークプレート５の後方部を前ボード１から取り外すことができる。
【００４５】
なお、フォークプレート５において、両側前方部の２ヶ所の挿通部を切り欠き５ａに換えて、前方側の先端が開放しない閉じられた貫通孔とし、両側後方部の２ヶ所の挿通部を貫通孔５ｂに換えて、後方側の先端が開放した切り欠きとしてもよい。この構成によっても、同様に、簡単に、フォークプレート５を前ボード１から取り外すことができる。
【００４６】
（足支持板７の開口部７ａ近傍の構造）
図５及び図６を用いて、足支持板７の開口部７ａ近傍の構造について説明する。図５は、後ボード２と足支持板７との取り付け工程を表す図である。図６は、足支持板７の開口部７ａ近傍の断面図である。
【００４７】
図５及び図６に示すように、足支持板７は裏面（後ボード２と対向する面）に、開口部７ａの下方に突出する凹部７ｃを有する。この凹部７ｃが固定用部材６のナット６３と支柱部６１とに挟持されることで、足支持板７と後ボード２とが固定される。凹部７ｃは横方向（Ｙ方向）に延伸している。
【００４８】
また、固定用部材６は、図６に示すように、支柱部６１の下面から下方に延びるボルト６５を有し、当該ボルト６５が後ボード２の上面から後ボード２内に挿入されている。これにより、固定用部材６と後ボード２とは固定されている。ボルト６２とボルト６５とは離間している。図６では、凹部７ｃの底部と支柱部６１との間に２枚のワッシャー６４が挿入されている。このワッシャー６４は任意で設ければよい。なお、固定用部材６の構成については、さらに後述する。
【００４９】
凹部７ｃの底部は足支持板７の平坦な中央部と平行である。凹部７ｃのうち、底部を足支持板７の平面部と接続する後方側の側部の上端は足支持板７の平面部の裏面と接続している。凹部７ｃのうち、底部の前方側に配されている前方側の側部は当該底部から上方（足支持板７の中央部に近づく方向）に屈曲している。また、前方側の側部には、その一部が横方向に離間することで、凹部７ｃの底部における前方部分が開放した形状となった切り欠き部７ｂが設けられている。この切り欠き７ｂには、ナット６３が螺合した状態のボルト６２を、図５及び図６に示すように挿入することができる。
【００５０】
また、凹部７ｃの前方側の側部に設けられた屈曲部分は、切り欠き７ｂに挿通した固定用部材６が位置ずれすることを抑制する機能を実現する部分であるとともに、凹部７ｃの構造的強度を高める機能を実現する部分である。
【００５１】
位置ずれ抑制に関して具体的に説明すると、凹部７ｃの前方側の側部が位置ずれ抑制部７ｄとして構成される。位置ずれ抑制部７ｄの上端と、足支持板７の中央部の裏面とは離間することで開口部となっており、位置ずれ抑制部７ｄはその一部が横方向に離間していいて凹部７ｃの底部から位置ずれ抑制部７ｄにかけて切り欠き７ｂが形成されている。これにより、ナット６３が螺合した状態のボルト６２を該開口部から凹部７ｃの切り欠き７ｂに挿入することができる。挿入された状態で締められたナット６３は、位置ずれ抑制部７ｄの内側側面と干渉することになるため、雪上滑走具１０を雪上滑走使用したときであっても、位置ずれ抑制部７ｄがナット６３の位置ずれを抑制し、結果的に固定用部材６の位置ずれ抑制している。
【００５２】
また、位置ずれ抑制部７ｄを実現している屈曲部分は、凹部７ｃの底部の特に切り欠き７ｂ周辺の平坦性を維持するために機能する。具体的には、凹部７ｃの底部の特に切り欠き７ｂ周辺は、ボルト６２が挿通される際やナット６３の締め込みの際に負荷がかかるため、仮に屈曲部分が設けられていない場合は、その負荷によって切り欠き７ｂ周辺が歪んだり湾曲したりする虞があり、スムーズな挿通が困難になってユーザーにストレスを与えるだけでなく、足支持板７と後ボード２とが固定不良となる虞がある。しかしながら、屈曲部分を設けることによって、切り欠き７ｂ周辺が歪んだり湾曲したりし難くなる。そのため、屈曲部分が設けられていることにより、切り欠き７ｂ周辺の構造的強度が高められる。
【００５３】
（後ボード２と足支持板７との着脱）
図５及び図６を用いて、後ボード２と足支持板７とを着脱する工程について説明する。
【００５４】
図５の（ａ）に示すように、足支持板７を、後ボード２に対し前方へ相対移動させる（スライドさせる）。そして、図５の（ｂ）に示すように、後ボード２に固定された固定用部材６において、ナット６３が螺合したボルト６２のうちナット６３と支柱部６１との間の部分を、切り欠き７ｂ先端の開放している部分から、切り欠き７ｂ内へ挿通する。このように、後ボード２に設けられた切り欠き７ｂの前方側の先端は開放しているため、固定用部材６においてナット６３がボルト６２に螺合した状態であっても、当該ボルト６２を切り欠き７ｂに挿通させることができる。
【００５５】
次に、図５の（ｃ）に示すように、切り欠き７ｂにボルト６２が挿通された状態で、当該ボルト６２に螺合したナット６３を支柱部６１に向かって締める。
【００５６】
ここで、図６に示すように、足支持板７には、平面視したとき凹部７ｃ内部と重畳するように、凹部７ｃの上方に開口部７ａが設けられている。スパナ等、ナット６３を締めたり緩めたりするための工具９を、この開口部７ａの上方側から開口部７ａを挿通させ、凹部７ｃ内部に挿入させる。そして、工具９の先端部とナット６３とを嵌合させて、ナット６３を支柱部６１に向かって締める。
【００５７】
この結果、図５の（ｃ）及び図６に示すように、切り欠き７ｂの周縁の凹部７ｃがナット６３と支柱部６１とに挟持されることで、足支持板７が固定用部材６を介して後ボード２に固定される。このように、簡単に足支持板７を後ボード２に取り付けることができる。
【００５８】
また足支持板７には、ナット６３を締めたり緩めたりする作業をおこなうための開口部７ａが設けられているため、作業が容易である。
【００５９】
さらに、切り欠き７ｂの周辺には、凹部７ｃの底部から上方側へ屈曲する位置ずれ抑制部７ｄが設けられている。そして位置ずれ抑制部７ｄに設けられた切り欠き７ｂの幅（Ｙ方向の長さ）はナット６３の外径より小さい。これにより、ナット６３が締められた状態で、当該ナット６３と位置ずれ抑制部７ｄの内側側面とが干渉し、雪上滑走中等に凹部７ｃ内のナット６３の位置ずれを防止することができる。
【００６０】
この位置ずれ抑制部７ｄが設けられていることによって、着脱が容易でありながら、足支持板７と後ボード２とを固定した状態において信頼性の高い雪上滑走具１０を提供することができる。
【００６１】
なお、工具９は、前ボード１とフォークプレート５とを着脱する際に、ナット６３を締めたり緩めたりする作業にも用いることができる。
【００６２】
後ボード２と、足支持板７とを取り外すときは、図５の（ａ）〜（ｃ）、図６を用いて説明した工程の順を逆にすればよい。
【００６３】
すなわち、図５の（ｃ）及び図６において、開口部７ａから凹部７ｃ内に挿入させた工具９とナット６３とを嵌合させて、ナット６３をボルト６２の上端に向かってボルト６２から外れない程度に緩める。これにより、図５の（ｂ）に示すように、ナット６３を足支持板７から離間させる。そして、足支持板７を、後ボード２に対し後方へ相対移動させる（スライドさせる）。この結果、図５の（ａ）に示すように、ナット６３が螺合した状態のボルト６２におけるナット６３と支柱部６１との間の部分を、切り欠き７ｂから離間させる。これにより、ナット６３が螺合した状態のボルト６２におけるナット６３と支柱部６１との間の部分の、切り欠き７ｂからの挿通を解除する。このように、簡単に、足支持板７を後ボード２から取り外すことができる。
【００６４】
（固定用部材６及びその変形例）
次に、固定用部材６及びその変形例の構造について説明する。図７は固定用部材６の構成を表す断面図である。図８は変形例に係る固定用部材６ａの構成を表す断面図である。
【００６５】
図７に示すように、固定用部材６において、ナット６３を螺合するためのボルト６２は支柱部６１上面から上方に向けて延びる。一方、前ボード１又は後ボード２と固定用部材６とを固定するためのボルト６５は支柱部６１の下面から下方に延びる。ボルト６２とボルト６５との間には支柱部６１が介在することで、ボルト６２とボルト６５とは離間している。支柱部６１の軸心にはボルトは配されていない。
【００６６】
支柱部６１は、例えばゴム等の弾性体からなる。これにより、支柱部６１が十分に弾性変形し、フォークプレート５と前ボード１とを、また、足支持板７と後ボード２とを精度よく固定することができる。
【００６７】
また、雪上滑走具１０は、固定用部材６に換えて、図８に示す固定用部材（固定用治具）６ａを備えていてもよい。図８に示すように、固定用部材６ａは、支柱部６１ａと、ボルト６２ａと、ナット６３とを備える。ボルト６２ａは支柱部６１ａの軸心に沿って延び、支柱部６１ａを上下に貫通している。ボルト６２ａのうち上方側の上部は支柱部６１ａの上面から上方へ向けて延びる。このボルト６２ａの上部に、フォークプレート５又は足支持板７を挟むためのナット６３が螺合される。一方、ボルト６２ａのうち下方側の下部は支柱部６１ａの下面から下方へ向けて延びる。このボルト６２ａの下部が前ボード１又は後ボード２に挿入されることで、固定用部材６ａは、前ボード１又は後ボード２と固定される。支柱部６１ａは、支柱部６１と同様にゴムなどの弾性体からなる。
【００６８】
固定用部材６ａは、ボルト６２ａがこの支柱部６１ａを貫通しており、また、支柱部６１ａが伸縮する弾性体からなるため、ナット６３がボルト６２ａに沿って必要以上に締められることによる不具合が生じる場合がある。すなわち、前ボード１とフォークプレート５との位置調整や、後ボード２と足支持板７との位置調整が難しい場合がある。
【００６９】
一方、図７に示した固定用部材６は、ナット６３を螺合させるボルト６２は支柱部６１の上面から上方に延び、支柱部６１の軸心を貫通しない。このため、ナット６３を支柱部６１に向けて締めることによる支柱部６１の変形を防止することができる。このため、固定用部材６の方が、固定用部材６ａと比べて、前ボード１とフォークプレート５との位置調整や、後ボード２と足支持板７との位置調整がし易い。この結果、位置精度よく、前ボード１とフォークプレート５とを取り付けたり、後ボード２と足支持板７とを取り付けたりすることができる。
【００７０】
また、固定用部材６では、ボルト６２・６５間は、弾性体からなる支柱部６１のみによって構成されているため、フォークプレート５の前ボード１に対する傾斜角や、足支持板７の後ボード２に対する傾斜角を、固定用部材６ａの場合より大きくすることができる。このため、乗り心地がよい雪上滑走具１０を得ることができる。
【００７１】
また、固定用部材６ａの支柱部６１ａも弾性体である。支柱部６１ａには上下方向にのびる軸心に金属のボルト６２ａが配設されていてその周りに支柱部６１ａが配設されている。この場合であっても、弾性体である支柱部６１ａが十分に弾性変形して、フォークプレート５と前ボード１とを、また、足支持板７と後ボード２とを精度よく固定することができる。
【００７２】
（雪上滑走具１０の主な作用効果）
以上のように、雪上滑走具１０は、雪上を滑走するための前ボード１および後ボード２と、前ボード１および後ボード２の上面に固定用部材６を介して固定されるフォークプレート５及び足支持板７とを備えている。固定用部材６は、前ボード１または後ボード２上面に固定される支柱部６１と、支柱部６１から上方に向かってのびるボルト６２と、該ボルト６２に螺合するナット６３とを有している。
【００７３】
フォークプレート５には、上記ボルト６２を挿通させるための切り欠き５ａ及び貫通孔５ｂが設けられている。この切り欠き５ａ及び貫通孔５ｂは、ナット６３が螺合した状態のボルト６２におけるナット６３と支柱部６１との間の部分を、挿通させたり該挿通を解除させたりすることができる。そして、切り欠き５ａ及び貫通孔５ｂにボルト６２が挿通された状態でナット６３が支柱部６１に向かって締められることによって、フォークプレート５が固定用部材６を介して前ボード１に固定される一方、ナット６３がボルト６２の上端に向かって緩められることによって、前ボード１および固定用部材６からフォークプレート５が外れる。
【００７４】
一方、足支持板７は、ボルト６２を挿通させるための切り欠き７ｂが設けられている。この切り欠き７ｂは、ナット６３が螺合した状態のボルト６２におけるナット６３と支柱部６１との間の部分を、挿通させたり該挿通を解除させたりすることができる。そして、切り欠き７ｂにボルト６２が挿通された状態でナット６３が支柱部６１に向かって締められることによって、足支持板７が固定用部材６を介して後ボード２に固定される一方、ナット６３がボルト６２の上端に向かって緩められることによって、後ボード２および固定用部材６から足支持板７が外れる。
【００７５】
上記の構成によれば、前ボード１とフォークプレート５と、また、後ボード２と足支持板７とを容易に着脱可能であるため、雪上を滑走していないときにはコンパクトになって収納や運搬が容易である雪上滑走具１０を提供することができる。
【００７６】
具体的には、フォークプレート５に設けられている切り欠き５ａ及び貫通孔５ｂや、足支持板７に設けられている切り欠き７ｂは、前ボード１または後ボード２に配設された固定用部材６のボルト６２を、該ボルト６２にナット６３が螺合されている状態で挿通することができ、挿通した状態でナット６３を締めれば該固定用部材６を介して前ボード１または後ボード２にフォークプレート５または足支持板７を固定することができる。反対に、ナット６３を緩めれば切り欠き５ａ及び貫通孔５ｂや切り欠き７ｂからボルト６２を外すことができることにより、前ボード１または後ボード２と、フォークプレート５または足支持板７とを分離（分解）することができる。
【００７７】
ナット６３をボルト６２に螺合させたままでこのようなことができるため、オーナー（プレーヤー）は、フォークプレート５または足支持板７に、前ボード１または後ボード２を取り付け、ナット６３を締めるという簡単な作業だけで滑走可能な雪上滑走具１０を完成させることができ、反対にナット６３を緩めるという簡単な作業だけで持ち運びや収納に便利なようにコンパクトサイズに分解することができる。
【００７８】
また、ナット６３をボルト６２から外す必要がないため、ナット６３を紛失する虞が少ない。また、仮にボルト６２からナット６３を外した状態でないと作業をおこなうことができない場合、ナット６３のサイズは比較的小さいことからボルト６２に設置する手間がかかり、例えば寒冷の中でグローブを装着している手を用いてそのような細かな作業を強いることはオーナー（プレーヤー）にとって非常にストレスがかかる。しかしながら、雪上滑走具１０によればそのような手間やストレスをかけることなく、前ボード１とフォークプレート５とを、また、後ボード２と足支持板７とを簡単に着脱することができる。
【００７９】
また、足支持板７における切り欠き７ｂの周辺には、締められたナット６３の位置ずれを抑制する位置ずれ抑制部７ｄが設けられている。この位置ずれ抑制部７ｄが設けられていることによって、後ボード２の着脱が容易でありながら、足支持板７と後ボード２とを固定した状態において信頼性の高い雪上滑走具１０を提供することができる。
【００８０】
この位置ずれ抑制部は、足支持板７における切り欠き７ｂの周辺だけでなく、フォークプレート５における切り欠き５ａの周辺に設けてもよい。この場合、切り欠き５ａにおける前方側のフォークプレート５の縁部分を上方側へ屈曲させ、かつ、ナット６３の外径より小さくボルト６２の外径より大きくなる程度に横方向に離間させる。これにより、前ボード１の着脱が容易でありながら、フォークプレート５と前ボード１とを固定した状態において信頼性の高い雪上滑走具１０を提供することができる。
【００８１】
（その他の変形例）
上述した実施形態は、前後方向にスライドさせることによって着脱の動作をおこなう態様であるが、切り欠き５ａや切り欠き７ｂの向き、貫通孔５ｂの長手方向の向きを横方向（Ｙ方向）に延伸させた設計とすれば、横方向にスライドさせることによって着脱の動作をおこなう態様とすることができる。すなわち、本発明は着脱の動作の方向に制限はない。
【００８２】
また、上述した実施形態では、フォークプレート５に切り欠き５ａ・貫通孔５ｂを設け、足支持板７に切り欠き７ｂを設けている。しかしながら、本発明はこれに限定されるものではなく、フォークプレート５に、図５および図６に示した切り欠き７ｂの構造を設けてもよく、足支持板７に、図３及び図４に示した切り欠き５ａ・貫通孔５ｂの構造を設けても良い。すなわち、固定用部材６のボルト６２をナット６３が螺合した状態で挿通させることができる挿通部であれば、切り欠き５ａ・貫通孔５ｂ・切り欠き７ｂのいずれの構造がどの位置にあっても構わない。足支持板７に設けた切り欠き７ｂの近傍に屈曲部分から構成される位置ずれ抑制部７ｄを設けているが、この屈曲部分は、他の切り欠き５ａ・貫通孔５ｂに設けることも可能である。例えば、切り欠き５ａの開放端部周辺を上方に反らせることによって、上述した屈曲部分と同じく位置ずれ抑制機能と構造強化機能を実現することができる。また、貫通孔５ｂに関しては、切り欠き５ａ・切り欠き７ｂに比べて切り欠きの開放部分が存在しないため平坦性の維持に寄与していると換言することができる。同様に、貫通孔５ｂは、切り欠きの開放部分が存在しないため、位置ずれを抑制する機能を有していると換言することもできる。
【００８３】
また、上述した実施形態では、固定用部材６の位置ずれ抑制を、足支持板７の凹部７ｃの一部分によって実現しているが、位置ずれ抑制部としては、この態様に限定されるものではなく、足支持板７とは別体の構成によって固定用部材６の位置ずれ抑制を実現してもよい。
【００８４】
〔まとめ〕
本発明の態様１に係る雪上滑走具１０は、雪上を滑走するための前ボード１および後ボード２と、上記前ボード１および上記後ボード２の上面に固定用治具（固定用部材６・６ａ）を介して固定されるフレーム（メインフレーム４・フォークプレート５・足支持板７）とを備えており、上記固定用治具（固定用部材６・６ａ）は、上記上面に固定される支柱部６１・６１ａと、該支柱部６１・６１ａから上方に向かってのびるボルト６２・６２ａと、該ボルト６２・６２ａに螺合するナット６３とを有しており、上記フレーム（メインフレーム４・フォークプレート５・足支持板７）には、上記ボルト６２・６２ａを挿通させる挿通部（切り欠き５ａ・貫通孔５ｂ・切り欠き７ｂ）が設けられており、上記挿通部（切り欠き５ａ・貫通孔５ｂ・切り欠き７ｂ）は、上記ナット６３が螺合した状態の上記ボルト６２・６２ａにおける該ナット６３と上記支柱部６１との間の部分を、挿通させたり該挿通を解除させたりでき、上記挿通部（切り欠き５ａ・貫通孔５ｂ・切り欠き７ｂ）に上記ボルト６２・６２ａが挿通された状態で上記ナット６３が上記支柱部６１・６１ａに向かって締められることによって、上記フレーム（メインフレーム４・フォークプレート５・足支持板７）が上記固定用治具６・６ａを介して上記前ボード１および上記後ボード２に固定される一方、上記ナット６３が上記ボルト６２・６２ａの上端に向かって緩められることによって、上記前ボード１および上記後ボード２並びに上記固定用治具６・６ａから上記フレーム（メインフレーム４・フォークプレート５・足支持板７）が外れることを特徴としている。
【００８５】
上記の構成によれば、前ボード１および後ボード２とフレーム（メインフレーム４・フォークプレート５・足支持板７）とが容易に着脱可能であるため、雪上を滑走していないときにはコンパクトになって収納や運搬が容易である雪上滑走具１０を提供することができる。
【００８６】
具体的には、フレーム（メインフレーム４・フォークプレート５・足支持板７）に設けられている挿通部（切り欠き５ａ・貫通孔５ｂ・切り欠き７ｂ）は、前ボード１および後ボード２に配設された固定用治具６・６ａのボルト６２・６２ａを、該ボルト６２・６２ａにナット６３が螺合されている状態で挿通することができ、挿通した状態でナット６３を締めれば該固定用治具６・６ａを介して前ボード１および後ボード２にフレーム（メインフレーム４・フォークプレート５・足支持板７）を固定することができる。反対に、ナット６３を緩めれば挿通部（切り欠き５ａ・貫通孔５ｂ・切り欠き７ｂ）からボルト６２・６２ａを外すことができることにより、前ボード１および後ボード２とフレーム（メインフレーム４・フォークプレート５・足支持板７）とを分離（分解）することができる。
【００８７】
ナット６３をボルト６２・６２ａに螺合させたままでこのようなことができるため、オーナー（プレーヤー）は、フレーム（メインフレーム４・フォークプレート５・足支持板７）に前ボード１および後ボード２を取り付けナット６３を締めるという簡単な作業だけで滑走可能な雪上滑走具１０を完成させることができ、反対にナット６３を緩めるという簡単な作業だけで持ち運びや収納に便利なようにコンパクトサイズに分解することができる。
【００８８】
また、ナット６３をボルト６２・６２ａから外す必要がないため、ナット６３を紛失する虞が少ない。また、仮にボルト６２・６２ａからナット６３を外した状態でないと作業をおこなうことができない場合、ナット６３のサイズは比較的小さいことからボルト６２・６２ａに設置する手間がかかり、例えば寒冷の中でグローブを装着している手を用いてそのような細かな作業を強いることはオーナー（プレーヤー）にとって非常にストレスがかかる。しかしながら、本発明によればそのような手間やストレスをかけることなく、フレーム（メインフレーム４・フォークプレート５・足支持板７）と前ボード１および後ボード２との着脱を簡単におこなうことができる。
【００８９】
本発明の態様２に係る雪上滑走具１０は、上記態様１において、上記構成に加え、上記挿通部（切り欠き５ａ・切り欠き７ｂ）は複数設けられており、上記フレーム（メインフレーム４・フォークプレート５・足支持板７）における、少なくとも一つの上記挿通部（切り欠き５ａ・切り欠き７ｂ）の周辺には、締められた上記ナット６３の位置ずれを抑制する位置ずれ抑制部７ｄが設けられている。
【００９０】
上記の構成によれば、位置ずれ抑制部７ｄが設けられていることによって、着脱が容易でありながら、フレーム（メインフレーム４・フォークプレート５・足支持板７）と前ボード１および後ボード２とを固定した状態において信頼性の高い雪上滑走具１０を提供することができる。
【００９１】
本発明の態様３に係る雪上滑走具１０は、上記態様１または２において、上記の構成に加え、上記フレーム（足支持板７）には、上記ナット６３を締めたり緩めたりする作業をおこなうための開口部７ａが設けられている。上記の構成によれば、開口部７ａが設けられているため、作業が容易になる。
【００９２】
本発明の態様４に係る雪上滑走具１０は、上記態様１から３において、上記構成に加え、上記支柱部６１・６１ａは、弾性体から構成されている。仮に支持部６１ａの上下方向にのびる軸心に金属の棒が配設されていてその周りを弾性体が配設されている場合は、弾性体が十分に弾性変形せず、フレーム（メインフレーム４・フォークプレート５・足支持板７）を精度よく前ボード１および後ボード２に固定することができない虞がある。しかしながら、上記の構成のように、支柱部６１・６１ａを弾性体から構成することにより、弾性体が十分に弾性変形して、フレーム（メインフレーム４・フォークプレート５・足支持板７）を前ボード１および後ボード２に精度よく固定することができる。
【００９３】
本発明の態様５に係る雪上滑走具１０は、上記態様１から４において、上記の構成に加え、上記挿通部（切り欠き５ａ・切り欠き７ｂ）は、上記フレーム（メインフレーム４・フォークプレート５・足支持板７）に設けられた貫通孔５ｂあるいは切り欠き５ａ・７ｂである。上記の構成によれば、上記挿通部（貫通孔５ｂ）が貫通孔５ｂであれば、ナット６３の径よりも大きく開口した部分を一部に有すれば、ナット６３をボルト６２・６２ａに螺合させた状態で上述した挿通と挿通解除とをおこなうことができる。また、上記挿通部（切り欠き５ａ・切り欠き７ｂ）が切り欠き５ａ・７ｂであっても上述した挿通と挿通解除とをおこなうことができる。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９５】
本発明は、雪上滑走具に利用することができる。
【符号の説明】
【００９６】
１  前ボード
２  後ボード
３  ステアリング部
４  メインフレーム（フレーム）
５  フォークプレート（フレーム）
５ａ  切り欠き（挿通部）
５ｂ  貫通孔（挿通部）
６・６ａ  固定用部材（固定用治具）
７  足支持板（フレーム）
７ａ  開口部
７ｂ  切り欠き（挿通部）
７ｃ  凹部
７ｄ  位置ずれ抑制部
９  工具
１０  雪上滑走具
３１  ハンドル部
６１・６１ａ  支柱部
６２・６２ａ  ボルト
６３  ナット
【図１】
2015146984.tif 000003
【図２】
2015146984.tif 000004
【図３】
2015146984.tif 000005
【図４】
2015146984.tif 000006
【図５】
2015146984.tif 000007
【図６】
2015146984.tif 000008
【図７】
2015146984.tif 000009
【図８】
2015146984.tif 000010